(57)【要約】  【課題】永久磁石を利用してチェース上に固定される刃型固定具を、指先を利用して安全に取外すことができ、また取外し用の治具を用いた取外しにも好適なものとする。  【解決手段】保持板１１が、永久磁石１３の取付部２１から前方へ延長されて刃型２の上面を押さえておくための前延長部２２と、取付部２１から後方へ延長された後延長部２３と、を有する。後延長部２３が、永久磁石１３から離れるほど下方に位置するように下向きに傾斜された下向き傾斜２３ａと、下向き傾斜部２３ａの下端部から永久磁石１３から離れるほど上方に位置するように伸びる上向き傾斜部２３ｂと、を有する。下向き傾斜部２３ａと上向き傾斜部２３ｂとの境界部位２３ｃ（もっとも低い位置）が、チェース１の上面との間に隙間Ｓ（取外し用の治具を挿入するための隙間）を有するように設定されている。【選択図】  図５
0003198951.tif 000002
【実用新案登録請求の範囲】
【請求項１】
刃型をチェースに固定するための刃型固定具において、
保持板と、該保持板の下面側に取付けられて前記チェースに磁着される永久磁石と、を有し、
前記保持板が、前記永久磁石の取付部から前方へ延長されて刃型の上面を押さえておくための前延長部と、該取付部から後方へ延長された後延長部と、を有し、
前記後延長部が、前記永久磁石から離れるほど下方に位置するように下向きに傾斜された下向き傾斜部と、該下向き傾斜部の下端部から該永久磁石から離れるほど上方に位置するように伸びる上向き傾斜部と、を有し、
前記永久磁石によって前記チェース上に磁着された状態において、前記後延長部のうち前記下向き傾斜部と前記上向き傾斜部との境界部となるもっとも低い位置が、前記チェースの上面との間に隙間を有するように設定されている、
ことを特徴とする刃型固定具。
【請求項２】
請求項１において、
前記上向き傾斜部の前後方向長さが、前記下向き傾斜部の前後方向長さよりも長くされている、ことを特徴とする刃型固定具。
【請求項３】
請求項２において、
前記下向き傾斜部の傾斜角度が、前記上向き傾斜部の傾斜角度よりも大きくされている、ことを特徴とする刃型固定具。
【請求項４】
請求項１乃至請求項３のいずれか１項において、
前記後延長部の後端の高さが、前記取付部の高さ以下となるように設定されている、ことを特徴とする刃型固定具。
【請求項５】
請求項１ないし請求項４のいずれか１項において、
前記前延長部の先端部に、前記チェースの上面と当接される滑り止めシートが取付けられている、ことを特徴とする刃型固定具。
【請求項６】
請求項１ないし請求項５のいずれか１項において、
前記後延長部の後端部上面に、滑り止めシートが取付けられている、ことを特徴とする刃型固定具。
【請求項７】
請求項１ないし請求項６のいずれか１項において、
前記永久磁石が、スペーサを介して前記保持板に固定されている、ことを特徴とする刃型固定具。
【請求項８】
請求項７において、
前記スペーサが、その一方側の端部から前方に向けて直角に曲がる延長部を有している、ことを特徴とする刃型固定具。
【請求項９】
請求項１ないし請求項８のいずれか１項において、
前記前延長部の先端部が、前記取付部の下面の高さ位置よりも低くなるようにわずかに下方に向けて折曲されている、ことを特徴とする刃型固定具。
【請求項１０】
請求項１ないし請求項８のいずれか１項において、
前記前延長部の先端部に、直角に下方に向けて折曲されて前記チェース上面に形成された係合溝にがたつきなく嵌合される係合爪部が形成されている、ことを特徴とする刃型固定具。
【考案の詳細な説明】
【技術分野】
【０００１】
本考案は、刃型固定具に関するものである。
【背景技術】
【０００２】
ラベルやシール等の印刷物を所定形状に打ち抜くための刃型は、チェース上に固定されて使用される。刃型をチェース上に固定するために、特許文献１、特許文献２に示すように、永久磁石を利用した刃型固定具を用いたものがある。すなわち、刃型固定具は、保持板と、該保持板の下面側に取付けられて前記チェースに磁着される永久磁石とを有して、保持板のうち永久磁石の取付部から前方へ伸びる前延長部によって、刃型上面を押さえるようにしている。
【０００３】
上記特許文献１には、上記保持板を、上記取付部から後方へ伸びる後延長部を有するものとして、後延長部とチェースとの間に指先を引っ掛けることのできるに大きな隙間を形成することも開示されている。すなわち、チェース上に磁着された刃型固定具の後延長部に指先を引っ掛けて上方へと持ち上げることにより、刃型固定具をチェースから取外すことができるようにしたものも開示されている。
【先行技術文献】
【特許文献】
【０００４】
【特許文献１】特許第５０００００７号公報
【特許文献２】特許第５２４７９１２号公報
【考案の概要】
【考案が解決しようとする課題】
【０００５】
刃型固定具をチェースから取外すために、その後延長部に指先を引っ掛けて上方へ持ち上げることは、後延長部を上方へ持ち上げる際に勢いあまって指先が刃型の打ち抜き刃に誤って触れてしまうことが考えられ、取外し作業の安全性の点から好ましくない。特に、永久磁石の磁力が強くされる傾向から、後延長部の持ち上げに際しては指先に相当に大きな力を加えなければならず、上記のような問題をより生じ易くなっている。
【０００６】
一方、取外し用の治具を用いて刃型固定具をチェース上から取外すことは、指先を打ち抜き刃に接触させないようにする、という点では好ましいものとなる。しかしながら、取外しのためには必ず取外し用治具を用いなければならないというのは、取外し作業が面倒であるという側面を有することになる。
【０００７】
本考案は以上のような事情を勘案してなされたもので、その目的は、永久磁石を利用してチェース上に固定される刃型固定具を、指先を利用して安全に取外すことができ、また取外し用の治具を用いた取外しを行うにも好適な刃型固定具を提供することにある。
【課題を解決するための手段】
【０００８】
前記目的を達成するため、本発明にあっては次のような解決手法を採択してある。すなわち、請求項１に記載のように、
刃型をチェースに固定するための刃型固定具において、
保持板と、該保持板の下面側に取付けられて前記チェースに磁着される永久磁石と、を有し、
前記保持板が、前記永久磁石の取付部から前方へ延長されて刃型の上面を押さえておくための前延長部と、該取付部から後方へ延長された後延長部と、を有し、
前記後延長部が、前記永久磁石から離れるほど下方に位置するように下向きに傾斜された下向き傾斜部と、該下向き傾斜部の下端部から該永久磁石から離れるほど上方に位置するように伸びる上向き傾斜部と、を有し、
前記永久磁石によって前記チェース上に磁着された状態において、前記後延長部のうち前記下向き傾斜部と前記上向き傾斜部との境界部となるもっとも低い位置が、前記チェースの上面との間に隙間を有するように設定されている、
ようにしてある。
【０００９】
上記解決手法によれば、チェース上に刃型を固定している状態で、刃型固定具のうち上向き傾斜部を上方から指先で押圧することにより、刃型固定具が前上がりの姿勢状態となって、そのまま上方へと持ち上げて刃型固定具を安全に取外すことができる。また、下向き傾斜部と上向き傾斜部との境界部位の下方にある隙間に、取外し用の治具の先端部を挿入して、てこの原理により後延長部を上方へ持ち上げることにより、刃型固定具を後上がりの姿勢状態として、そのまま上方へと持ち上げて刃型固定具を取外すことができる。このように、指先のみを利用する安全な取外しと、取外し用の治具を用いた取外しとを、選択的に行うことができる。
【００１０】
上記解決手法を前提とした好ましい態様は、請求項２以下に記載のとおりである。すなわち、
前記上向き傾斜部の前後方向長さが、前記下向き傾斜部の前後方向長さよりも長くされている、ようにしてある（請求項２対応）。この場合、後延長部の前後方向長さを極力短くしつつ、上向き傾斜部の前後方向長さを十分に確保して、指先によって当該上向き傾斜部を容易に下方へ押圧できるようにする上で好ましいものとなる。
【００１１】
前記下向き傾斜部の傾斜角度が、前記上向き傾斜部の傾斜角度よりも大きくされている、ようにしてある（請求項３対応）。この場合、請求項２に対応した効果を十分に発揮させる上で好ましいものとなる。
【００１２】
前記後延長部の後端の高さが、前記取付部の高さ以下となるように設定されている、ようにしてある（請求項４対応）。この場合、刃型による打ち抜き対象となるシートが後延長部の後端に突っかかってしまう事態を防止する上で好ましいものとなる。
【００１３】
前記前延長部の先端部に、前記チェースの上面と当接される滑り止めシートが取付けられている、ようにしてある（請求項５対応）。この場合、滑り止め用シートによって刃型に対する滑りを防止して、しっかりと刃型を固定しておく上で好ましいものとなる。
【００１４】
前記後延長部の後端部上面に、滑り止めシートが取付けられている、ようにしてある（請求項６対応）。この場合、上向き傾斜部を指先によって押圧する際に、指先が不用意に滑ってしまう事態を防止する上で好ましいものとなる。
【００１５】
前記永久磁石が、スペーサを介して前記保持板に固定されている、ようにしてある（請求項７対応）。この場合、高価で加工のしにくい永久磁石として同一のものを用いつつ、スペーサの高さを相違させることによって、高さの相違する刃型に対応することができる。
【００１６】
前記スペーサが、その一方側の端部から前方に向けて直角に曲がる延長部を有している、ようにしてある（請求項８対応）。この場合、スペーサを有効に利用して、１つの刃型固定具によって、直交する２方向について刃型の滑り移動を防止する上で好ましいものとなる。
【００１７】
前記前延長部の先端部が、前記取付部の下面の高さ位置よりも低くなるようにわずかに下方に向けて折曲されている、ようにしてある（請求項９対応）。この場合、刃型の上面外周縁部が損傷していたり丸められている等の事態に対応して、刃型上面のうち極力平坦なきれいな面でもって押圧する上で好ましいものとなる。
【００１８】
前記前延長部の先端部に、直角に下方に向けて折曲されて前記チェース上面に形成された係合溝にがたつきなく嵌合される係合爪部が形成されている、ようにしてある（請求項１０対応）。この場合、刃型固定具によって固定している状態で、刃型の滑り移動防止をより確実に行う上で好ましいものとなる。
【考案の効果】
【００１９】
本考案によれば、指先を利用して安全に取外すことができ、また取外し用の治具を用いても取外すことができる。
【図面の簡単な説明】
【００２０】
【図１】本考案による刃型固定具と刃型とチェースとを示す分解斜視図。
【図２】本考案による刃型固定具によって刃型をチェース上に固定している状態を示す平面図。
【図３】本考案による刃型固定具の平面図。
【図４】図３に示す刃型固定具の側面図。
【図５】本考案による刃型固定具によって刃型をチェース上に固定している状態から、刃型固定具を取外す状況を示す側面断面図。
【図６】本考案の第２の実施形態を示すもので、図３に対応した平面図。
【図７】図６に示す刃型固定具を用いて刃型をチェース上に固定している状態を示す平面図。
【図８】本考案の第３の実施形態を示すもので、図３に対応した平面図。
【図９】図８に示す刃型固定具の側面断面図。
【図１０】本考案の第４の実施形態を示す側面断面図。
【図１１】図１０に示す刃型固定具が用いられる刃型の平面図。
【考案を実施するための形態】
【００２１】
図１において、１はチェース、２は打ち抜き刃２ａを有する刃型、１０は本考案による刃型固定具である。図２に示すように、方形とされた刃型２は、例えばその各側縁部に配設された合計４個の刃型固定具１０を用いて、チェース１上に固定される。
【００２２】
次に、図３、図４を参照しつつ、刃型固定具１０の詳細について説明する。まず、刃型固定具１０は、実施形態では、保持板１１と、保持板１１の下面側に固定されたスペーサ１２と、スペーサ１１の下面に固定された永久磁石１３と、永久磁石１３の下面に固定された滑り止めシート１４と、を有する。
【００２３】
保持板１１は、ステンレス等の金属板から構成されている。なお、保持板２１には、スペーサ１２の前端が上方から目視できるように覗き用の開口部１１ｂが形成されている。スペーサ１２は、例えば鉄系金属からなる厚板によって例えば長方形状に形成されている。永久磁石１３は、例えばネオジウム磁石等によって長方形状に形成されている。滑り止めシート１４は、例えば表面に微細な凹凸を有する極薄の弾性シート材によって長方形状に形成されて、例えば両面テープを利用して永久磁石１３の下面に貼着されている。
【００２４】
なお、スペーサ１２と永久磁石２３と滑り止めシート１４とは、互いに同一形状とされている。また、図４、図５では、滑り止め用シート１４の厚さを、実際の厚さよりもかなり大きく示してある（実際にはやや厚手のコピー用紙程度の厚さ）。
【００２５】
保持板１１とスペーサ１２とは、例えば溶接により固定され、その溶接部が図３において符号１５によって示される。また、スペーサ１２と永久磁石１３とは、固定ねじ１６によって固定されている（永久磁石１３の下面に固定ねじ１６の大径頭部が嵌合される凹部が形成され一方、永久磁石１３の下方から装着される固定ねじ１６の雄ねじ部が、永久磁石１３を貫通してスペーサ１２に形成された雌ねじ部に螺合されている）。なお、保持板１１には、固定ねじ１６に対応した位置に開口部１１ａが形成されて、この開口部１１ａに、上記固定ねじ１６の先端が位置されている。
【００２６】
保持板１１は、永久磁石１３つまりスペーサ１２の取付部位となる取付部２１と、取付部２１から前方へ伸びる前延長部２２と、取付部２２から後方へ伸びる後延長部２３と、を有する。なお、前方は、図３中上方、図４中右方で、刃型２への取付方向（接近方向）となる。
【００２７】
図４に示すように、前延長部２２の先端部は、若干下方へ向けて折曲された前傾斜部２２ａとされている。すなわち、図４において、チェース１の上面に対応した平面（側面視では線）が符号ｔ１で示され、この平面ｔ１と平行でかつ取付部２１の上面を通る平面が符号ｔ２で示され、前傾斜部２２ａは、平面ｔ２に対して角度θ１（例えば１０度〜２０度程度）の角度をなしている。これにより、前延長部２２（前傾斜部２２ａ）の先端が、取付部２１の下面よりも低くなるようにされている。
【００２８】
後延長部２３は、下向き傾斜部２３ａと上向き傾斜部２３ｂを有する形状とされている。すなわち、下向き傾斜部２３ａは、取付部２１（永久磁石１３）に近い側に設定されて、取付部２１の後端から離れるにしたがって徐々に下方に位置するように傾斜されている。下向き傾斜部２３ａは、当初は傾斜角度が大きく、途中から傾斜角度が小さくされている。
【００２９】
上向き傾斜部２３ｂは、下向き傾斜部２３ａの下端位置から、取付部２１（つまり永久磁石１３）から離れるにしたがって徐々に上方に位置するように傾斜されている。この上向き傾斜部２３ｂの傾斜角度θ３は、下向き傾斜部２３ａの全体的な（平均的な）傾斜角度θ２よりも小さくされている。
【００３０】
上記下向き傾斜部２３ａと上向き傾斜部２３ｂとの境界部位が符号２３ｃで示される。この境界部位２３ｃは、刃型固定具１０の最下面位置よりも若干（例えば２〜４ｍｍ程度）高い位置となるように設定されている。すなわち、刃型固定具１０をチェース１上に磁着させたときに、チェース１の上面を示す平面ｔ１と境界部位２３ｃとの間に、取外し用の治具挿入用の隙間Ｓが形成されるようになっている。このように、後延長部２３は、隙間Ｓを形成しつつ、前後の傾斜部２３ａと２３ｂとによって側面視で略Ｖ字形状あるいはＶ字形状と類似（近似）した形状となるように形成されている。
【００３１】
上記上向き傾斜部２３ｂの前後方向長さは、下向き傾斜部２３ａの前後方向長さよりも長くされている。上向き傾斜部２３ｂと下向き傾斜部２３ａとの傾斜角度θ２とθ３との相違により、上向き傾斜部２３ｂの前後方向長さを極力長く確保しつつ、上向き傾斜部２３ｂの後端位置（後延長部２３の後端位置）が、あまり大きく取付部２１から後方に位置しないようにされている（刃型周辺に存在する周辺部材との干渉防止）。また、上向き傾斜部２３ｂの先端（後延長部２３の後端）の高さが、取付部２１の上面高さ以下となるように設定されている（実施形態では、ほぼ同一高さで）。
【００３２】
以上のような構成の刃型固定具１０を用いて、刃型２をチェース１上に固定している状態が図２、図５に示され、スペーサ１２および永久磁石１３は、刃型２の側面に当接するように配設される。この刃型固定具１０の配設に際しては、上向き傾斜部２３ａを手指で把持することにより刃型固定具１０を保持しつつ、刃型固定具１０を、チェース１上に載置された刃型２の上側方から接近させて行えばよい。スペーサ１２の高さ（厚さ）を変更することにより、永久磁石１３の高さを同一にしたまま、刃型２の高さの相違に対応できる。
【００３３】
図５に示すように、刃型２をチェース１上に固定している状態で、前延長部２２の前傾斜部２２ａ先端のみが、刃型２の上面を押圧するようにされる。すなわち、刃型２の外周縁部上面は、損傷していたり丸くなっていたり等していて、完全な平面とされていない状況が応々にしてあるが、刃型２の上面のうち極力内方側（打ち抜き刃２ａに近い側）を押圧することにより、安定して刃型２を押さえておく上で好ましいものとなる。また、前延長部２２のうち、前傾斜部２２ａよりも後方側部分の弾性変形を利用して、刃型２をチェース１に向けて押圧することもできる。
【００３４】
図５の状態から、刃型固定具１０をチェース１上から取外すには、例えば、上向き傾斜部２３ｂを指先で上方から押圧（押圧方向をα１で示す）することより行うことができる。すなわちα１方向からの外力付与により、前延長部２２が符号α２で示すように上方へと持ち上げられるので（刃型固定具１０が全体的に前上がりの傾斜姿勢状態となるので）、この状態で刃型固定具１０を上方へ持ち上げればよい。刃型固定具１０の取外しに際しては、指先でもって上向き傾斜部２３ｂを上方から押圧するようにするだけでよく、指先が打ち抜き刃２ａに接近する方向へ動かす必要性や勢い余って不用意に動いてしまうこともないので、安全に刃型固定具１０を取外すという点で好ましいものとなる。
【００３５】
上向き傾斜部２３ｂは、後ろ上がりの傾斜設定なので、上向き傾斜部２３ｂの後端部は下方へ向けて十分に変位する余裕（チェース１との間に十分な大きさの隙間）があるため、刃型固定具１０を取外しのために大きく前上がりの傾斜姿勢状態とすることができる。なお、上向き傾斜部２３ｂがチェース１の上面に当接する位置まで当該上向き傾斜部２３ｂに対する押圧を行うことにより、刃型固定具１０の前上がりの角度を十分に大きくすることができる。
【００３６】
また、図５に示すように、取外し用の治具３０を用いて、刃型固定具１０をチェース１上から取外すこともできる。すなわち、取外し用の治具３０は、実施形態では、例えば細幅（例えば１０〜２０ｍｍ程度）の鉄板や硬質の合成樹脂等により、略直線状の保持部３０ａと湾曲あるいは折曲された形状の先端部３０ｂとを有する簡単な形状として形成してある。
【００３７】
取外し用の治具３０を用いて刃型固定具１０を取外すには、まず、保持部３０ａを手指で保持しつつ、先端部３０ｂを後延長部２３における境界部位２３ｃの下方にある隙間Ｓから永久磁石１３に接近するように挿入する。その後、保持部３０ａを図５中矢印β１で示す方向に押圧すれば、先端部３０ｂが、てこの原理により、後延長部２３のうち境界部位２３ｃよりも前方部分（つまり下向き傾斜部２３ａ）を矢印β２で示すように上方へと持ち上げればよい。これにより、刃型固定具１０が後ろ上がりの傾斜姿勢状態となるので、この状態で刃型固定具１０を上方へ持ち上げればよい。
【００３８】
上述のように、刃型固定具１０のチェース１上からの取外しに際しては、取外し用の治具３０を用いる場合と、取外し用の治具３０を用いることなく手指による押圧のみを利用する場合とを、選択して行うことができる。
【００３９】
ここで、前傾斜部２２ａの設定により、打ち抜き対象となるシートが図５中右方から左方へと移動される場合に、当該シートが前延長部２２に突っかかってしまう事態を防止する上で好ましいものとなる。また、後延長部２３の後端位置を、取付部２１の上面高さ以下の高さに設定しておくことにより、上記シートが図５中左方から右方へと移動する際に、シートが後延長部２３に突っかかってしまう事態を防止する上で好ましいものとなる。なお、刃型２は、打ち抜き装置に装着された状態では、打ち抜き刃２ａが下向きの状態となる姿勢とされる。
【００４０】
図６、図７は、本考案の第２の実施形態を示すもので、前記実施形態と同一構成要素には同一武号を付してその重複した説明は省略する（このことは、以下のさらに別の実施形態についても同じ）。本実施形態における刃型固定具１０Ｂ（前記実施形態における刃型固定具１０に対応）では、スペーサ１２の左右一方側の端部に、直角に折曲されて前方に向けて（前延長部２２の伸び方向に向けて）伸びる延長部１２ａを形成してある。本実施形態によれば、刃型固定具１０Ｂは、延長部１２ａを有するスペーサ１２でもって、刃型２の角部における直交する２つの側面に当接された状態で使用される。図７では、刃型２の４つの角部に対応させて、４つの刃型固定具１０Ｂを用いた場合を示してある。本実施形態では、１つの刃型固定具１０Ｂによって、直交する２方向について刃型２の滑り移動を防止する上で好ましいものとなる（刃型２の側面のうち角部において直交する２方向についてスペーサ１２が位置されることによる移動規制）。
【００４１】
図８、図９は、本考案の第３の実施形態を示すものである。本実施形態における刃型固定具１０Ｃ（刃型固定具１０に対応）では、前延長部２２の先端部に、滑り止め用シート４１を取付けてある。また、後延長部２３の後端部についても、滑り止め用シート４２を取付けてある。各滑り止め用シート４１、４２は、永久磁石１３の下面に取付けた滑り止め用シート１４と同一のものによって構成することができる。なお、図９では、滑り止め用シート４１、４２の厚さを、実際の厚さよりもかなり大きく示してある（実際にはやや厚手のコピー用紙程度の厚さ）。
【００４２】
滑り止め用シート４１は、前延長部２２の先端部のうち、先端面と上面と下面とを覆うように、断面略Ｕ字状とされている。この滑り止め用シート４１によって、前延長部２２（の前傾斜部２２ａ）と刃型２の上面との間の摩擦係数を極めて大きくして、この両者の間で不用意に滑りが生じてしまう事態を防止する上で好ましいものとなる。なお、滑り止め用シート４１は、刃型２の上面との当接部位にのみ存在すれば十分ではあるが、断面略Ｕ字状として前延長部２２の先端部を全体的に覆うようにすることにより、その取付強度を十分に確保する上で好ましいものとなる。
【００４３】
滑り止め用シート４２は、後延長部２３の後端部のうち、その先端面（後端面）と上面と下面とを覆うように、断面略Ｕ字状とされている。滑り止め用シート４２は、その前後方向長さが、滑り止め用シート４１よりも十分に大きくされている。このような滑り止め用シート４２によって、刃型固定具１０Ｃによる固定を行うために上向き傾斜部２３ｂを把持するときや、刃型固定具１０とチェース１上から取外すときに上向き傾斜部２３ｂを指先で上方から押圧する際に、滑りを生じることなく行うことができる。なお、滑り止め用シート４２は、指先により押圧される対象となる上向き傾斜部２３ｂの上面側にのみ存在すれば十分ではあるが、断面略Ｕ字状として後延長部２３の先端部を全体的に覆うようにすることにより、その取付強度を十分に確保する上で好ましいものとなる。
【００４４】
図１０、図１１は、本考案の第４の実施形態を示すものである。本実施形態における刃型固定具１０Ｄ（刃型固定具１０あるいは１０Ｂに対応）においては、前延長部２２の先端部を直角に下方へ折曲することにより係合爪部２２ｂを形成してある。一方、刃型２の上面には、上記係合爪部２２ｂが嵌合される係合溝２ｂを形成してある。係合爪部２２ｂと係合溝２ｂとは、がたつきなく嵌合されるように精度良く仕上げられている。１つの刃型２について、４つの刃型固定具１０Ｄによる固定を行うため、係合溝２ｂが合計４個形成されている。本実施形態では、係合爪部２２ｂが、係合溝２ｂに対してがたつきなく嵌合されることから、刃型固定具１０Ｄによって刃型２を固定した状態で、刃型２がチェース１上で不要に滑り移動してしまう事態を確実に防止する上で好ましいものとなる。
【００４５】
以上実施形態について説明したが、本考案は、実施形態に限定されるものではなく、特許請求の範囲の記載された範囲において適宜の変更が可能である。取外し用の治具３０は、適宜の形状（構造）のものを用いることができるが、コストや簡単化のために、細長い薄板状部材の先端部を曲げあるいは折曲させたものとするのが好ましい。永久磁石１３の下面に滑り止め用シート１４を設けないようにしてもよい。後延長部２３における下向き傾斜部２３ａの傾斜角度を、その全長に渡って等しくなるようにしてもよい（下向き傾斜部２３ａが略直線状）。滑り止め用シート４１あるいは４２は、図６、図７に示す実施形態や、図１０に示す実施形態の場合にも適用できる。前延長部２２を、全体的に取付部２１と同一平面を構成するように形成してもよい（側面視において、取付部２１と前延長部２２とが一直線となる形状）。勿論、本考案の目的は、明記されたものに限らず、実質的に好ましいあるいは利点として表現されたものを提供することをも暗黙的に含むものである。
【産業上の利用可能性】
【００４６】
本考案は、永久磁石を用いた刃型固定具として好適である。
【符号の説明】
【００４７】
１：チェース
２：刃型
２ａ：打ち抜き刃
２ｂ：係合溝
１０：刃型固定具
１１：保持板
１２：スペーサ
１２ａ：延長部
１３：永久磁石
１４：滑り止め用シート
１５：溶接部
１６：固定ねじ
２１：取付部
２２：前延長部
２２ａ：前傾斜部
２２ｂ：係合爪部
２３：後延長部
２３ａ：下向き傾斜部
２３ｂ：上向き傾斜部
２３ｃ：境界部位
３０：取外し用の治具
４１：滑り止め用シート
４２：滑り止め用シート
ｔ１：平面（チェース上面に対応）
ｔ２：上面（取付部上面に対応）
θ１：傾斜角度（前傾斜部）
θ２：傾斜角度（下向き傾斜部）
θ３：傾斜角度（上向き傾斜部）
Ｓ：隙間
【図１】
0003198951.tif 000003
【図２】
0003198951.tif 000004
【図３】
0003198951.tif 000005
【図４】
0003198951.tif 000006
【図５】
0003198951.tif 000007
【図６】
0003198951.tif 000008
【図７】
0003198951.tif 000009
【図８】
0003198951.tif 000010
【図９】
0003198951.tif 000011
【図１０】
0003198951.tif 000012
【図１１】
0003198951.tif 000013